(57)【要約】【課題】太陽電池の面積を大きくして発電電力を大きくして、電池の充電時間を短くしながら、薄くして便利に持ち運びする。光源の面積を広くして、広い面積から光を均一に照射する。【解決手段】携帯式の照明は、外装ケース１と、この外装ケース１に内蔵している充電できる電池４と、この電池４を充電する太陽電池２と、電池４で点灯される光源とを備えている。外装ケース１は、対向する第１の表面１１と第２の表面１２を有する板状であって、第１の表面１１に太陽電池２を、第２の表面１２には所定の面積から光を照射するパネル光源３を配置して、太陽電池２とパネル光源３とを互いに対向する姿勢として配置している。さらに、携帯式の照明は、外装ケース１の外周部であって、太陽電池２とパネル光源３の外側に位置して電池４を内蔵している。【選択図】図５
2010055789.tif 000002
【特許請求の範囲】
【請求項１】
外装ケース(1)と、この外装ケース(1)に内蔵している充電できる電池(4)と、この電池(4)を充電する太陽電池(2)と、電池(4)で点灯される光源とを備える携帯式の照明であって、
前記外装ケース(1)が、対向する第１の表面(11)と第２の表面(12)を有する板状であって、第１の表面(11)に太陽電池(2)を、第２の表面(12)には所定の面積から光を照射するパネル光源(3)を配置して、太陽電池(2)とパネル光源(3)とを互いに対向する姿勢として配置しており、さらに前記外装ケース(1)の外周部であって、前記太陽電池(2)とパネル光源(3)の外側に位置して電池(4)を内蔵するようにしてなる携帯式の照明。
【請求項２】
前記外装ケース(1)が、前記太陽電池(2)及びパネル光源(3)に配置する平面部(10)の外側に沿って伸びる開口部(15)を設けて、開口部(15)の外側をグリップ(5)としており、このグリップ(5)に電池(4)を内蔵している請求項１に記載される携帯式の照明。
【請求項３】
前記外装ケース(1)の外形が四角形で、四角形の一辺に沿うようにグリップ(5)を設けており、平面部(10)を四角形として、ここに四角形の太陽電池(2)とパネル光源(3)とを設けている請求項２に記載される携帯式の照明。
【請求項４】
前記外装ケース(1)のグリップ(5)の一端部にビーム光源(6)を設けている請求項２に記載される携帯式の照明。
【請求項５】
前記外装ケース(1)が、グリップ(5)の反対側の側縁に沿ってゴム状弾性体からなる緩衝バー(7)を設けている請求項２に記載される携帯式の照明。
【発明の詳細な説明】
【技術分野】
【０００１】
本発明は、内蔵する電池を太陽電池で充電して光源を点灯する携帯式の照明に関する。
【背景技術】
【０００２】
太陽電池で内蔵する電池を充電して光源を点灯する照明は、自然のエネルギーを有効に利用して点灯できる。また、地震や台風などの災害で電力が供給されなくなった状態で、あるいはレジャーなどで便利に使用できる特徴がある。この用途に使用できる携帯式の照明は開発されている。（特許文献１参照）
【特許文献１】実開昭６３−１９４４０１号公報
【発明の開示】
【発明が解決しようとする課題】
【０００３】
特許文献１に記載される携帯式の照明は、外装ケースの全体の形状を円柱状として蛍光灯と太陽電池を対向するように内蔵して、一端部に電池と回路基板を内蔵している。この構造の照明は、太陽電池の幅を広くして面積を大きくすると、外装ケースが太くなって持ち運びに不便になる。外装ケースを細くして携帯に便利な形状にすると、内蔵する太陽電池の幅が狭くなって面積が小さくなる。面積の小さい太陽電池は発電電力が小さく、電池の充電に時間がかかる。
【０００４】
本発明は、この欠点を解決することを目的に開発されたものである。本発明の重要な目的は、太陽電池の面積を大きくして発電電力を大きくして、電池の充電時間を短くしながら、薄くて便利に持ち運びできる携帯式の照明を提供することにある。
また、本発明の他の大切な目的は、光源の面積を広くして、広い面積から光を均一に照射できる携帯式の照明を提供することにある。
【課題を解決するための手段及び発明の効果】
【０００５】
本発明の携帯式の照明は、前述の目的を達成するために以下の構成を備える。
携帯式の照明は、外装ケース１と、この外装ケース１に内蔵している充電できる電池４と、この電池４を充電する太陽電池２と、電池４で点灯される光源とを備えている。外装ケース１は、対向する第１の表面１１と第２の表面１２を有する板状であって、第１の表面１１に太陽電池２を、第２の表面１２には所定の面積から光を照射するパネル光源３を配置して、太陽電池２とパネル光源３とを互いに対向する姿勢として配置している。さらに、携帯式の照明は、外装ケース１の外周部であって、太陽電池２とパネル光源３の外側に位置して電池４を内蔵している。
【０００６】
以上の携帯式の照明は、太陽電池の面積を大きくして発電電力を大きくして、電池の充電時間を短くしながら、薄くて便利に持ち運びできる特徴がある。それは、外装ケースを対向する第１の表面と第２の表面を有する板状として、第１の表面に太陽電池を、第２の表面に所定の面積から光を照射するパネル光源を配置して、太陽電池とパネル光源とを互いに対向する姿勢に配置して、太陽電池とパネル光源を収納する平面部を薄くし、さらに、外装ケースの外周部であって、太陽電池とパネル光源を内蔵しない外周部に電池を内蔵して電池の収納部を薄くしているからである。太陽電池とパネル光源は、平面状に薄くできるので、これを対向するよう配置することで、両方の面積を大きくしながら外装ケースを薄くできる。また、太陽電池とパネル光源を内蔵しない外周部に電池を収納することで、電池と太陽電池とパネル光源とを積層しない構造として、この部分も薄くできる。このため、外装ケースの全体を薄くして、太陽電池とパネル光源の面積を大きくして極めて便利に使用できる。広い面積にできるパネル光源は、広い面積から光を均一に照射してランタンとして便利に使用できる。
【０００７】
本発明の携帯式の照明は、外装ケース１に、太陽電池２及びパネル光源３を配置する平面部１０の外側に沿って伸びる開口部１５を設けて、開口部１５の外側をグリップ５として、このグリップ５に電池４を内蔵することができる。  
以上の携帯式の照明は、グリップを握って便利に持ち運びしながら、グリップの内部にできるスペースを有効に利用して電池を内蔵できる。
【０００８】
本発明の携帯式の照明は、外装ケース１の外形を四角形として、四角形の一辺に沿うようにグリップ５を設けて、平面部１０を四角形として、ここに四角形の太陽電池２とパネル光源３とを設けることができる。
以上の携帯式の照明は、太陽電池とパネル光源を大きな四角形として、グリップを握ってバランスよく便利に持ち運びできる。
【０００９】
本発明の携帯式の照明は、外装ケース１のグリップ５の一端部にビーム光源６を設けることができる。
この携帯式の照明は、パネル光源で広い面積に均一に光を照射して、ビーム光源でもって特定の領域を明るく照射できる。
【００１０】
本発明の携帯式の照明は、外装ケース１が、グリップ５の反対側の側縁に沿って、ゴム状弾性体からなる緩衝バー７を備えることができる。
以上の携帯式の照明は、グリップを握って持ち運びする状態で誤って落としても、ゴム状弾性体の緩衝バーで衝撃を吸収できる。このため落下の衝撃による故障を防止できる。
【発明を実施するための最良の形態】
【００１１】
以下、本発明の実施例を図面に基づいて説明する。ただし、以下に示す実施例は、本発明の技術思想を具体化するための携帯式の照明を例示するものであって、本発明は携帯式の照明を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図１ないし図６に示す携帯式の照明は、外装ケース１と、この外装ケース１に内蔵している充電できる電池４と、この電池４を充電する太陽電池２と、電池４で点灯される光源とを備える。
【００１４】
図の外装ケース１は、対向する第１の表面１１と第２の表面１２を有する板状で、全体の形状を四角形としている。さらに、図の外装ケース１は、四角形の一辺に沿うようにグリップ５を設けている。この外装ケース１は、太陽電池２及びパネル光源３を配置する平面部１０の外側に沿って伸びるように開口部１５を設けて、開口部１５の外側をグリップ５としている。図の外装ケース１は、全体の形状を長方形として、平面部１０を正方形としている。正方形の平面部１０の外側に、長方形である外装ケース１の短辺と平行に、手を挿入できる内幅の開口部１５を設けて、開口部１５の外側にグリップ５を設けている。グリップ５は、断面形状を円形ないし楕円形として、手で握りやすく、また内部に円筒形電池４を収納しやすい形状としている。
【００１５】
外装ケース１の平面部１０は、第１の表面１１と第２の表面１２に、太陽電池２とパネル光源３を露出させる開口窓１３、１４を設けている。図の外装ケース１は、第１の表面１１の開口窓１３を四角形として、ここに四角形の太陽電池２を露出するように固定して、第２の表面１２の開口窓１４も四角形として、ここに四角形のパネル光源３を固定している。さらに、図の照明は、開口窓１３、１４を正方形として、ここに正方形の太陽電池２とパネル光源３を固定している。
【００１６】
携帯式の照明は、太陽電池２の面積を大きくして大容量の電池４を速やかに充電でき、また、パネル光源３を大きくして明るい照明にできる。四角形の外装ケース１は、一辺の長さを１５ｃｍないし２５ｃｍとして、定格出力を２Ｗ〜３Ｗとする太陽電池２を装備できる。
【００１７】
太陽電池２は、第１の表面１１に設けた開口窓１３を水密に閉塞するように、外装ケース１に固定される。太陽電池２は、その外周縁部の表面と外装ケース１の内面との間にゴム状弾性体のパッキン２１を挟着し、あるいは外周縁部の表面と、外装ケース１の内面との間をコーキングして、開口窓１３を水密に閉塞するように固定される。さらに、図に示す外装ケース１は、開口窓１３の外側表面に透光プレート２２を固定している。透光プレート２２は、太陽光を透過させる透光性を有するプレートで、例えば、アクリル板等のプラスチックプレートである。透光プレート２２は、その外周縁部を、外装ケース１の開口窓１３に沿って設けた段差部１６に接着して固定される。透光プレート２２は、この段差部１６の表面との間をコーキングして、開口窓１３を水密に閉塞するように固定される。
【００１８】
パネル光源３は、複数の光源を配置して広い面積に拡散して光を照射する。図５ないし図８に示すパネル光源３は、縦横に配置している複数の白色の発光ダイオード３０Ａからなる点光源３０と、この点光源３０の光を反射する反射板３１と、この反射板３１の表面に配設している光の拡散板３２とを備える。図のパネル光源３は、複数の発光ダイオード３０Ａを固定してなる絶縁基板３３をインナープレート３４に設けた収納部３４Ａに収納すると共に、この絶縁基板３３に反射板３１と拡散板３２を積層して、インナープレート３４の収納部３４Ａを拡散板３２で閉塞している。
【００１９】
図のパネル光源３は、反射板３１の表面に、３×３個のチップタイプの発光ダイオード３０Ａを固定している。チップタイプの発光ダイオード３０Ａは、光を集束することなく広い角度で均一に光を照射する。点光源３０を発光ダイオード３０Ａとする照明は、電池４の消費電力を小さくして明るく、長い時間にわたって照射できる。たとえば、９個の発光ダイオード３０Ａを点灯する状態で、後述する電池を内蔵して、約９時間点灯でき、また、点灯する発光ダイオード３０Ａを５個に切り換えて約１５時間点灯でき、さらに、点数する発光ダイオード３０Ａを１個として３５時間も点灯できる。ただし、本発明の照明は、点光源には、発光ダイオードに代わって、豆球を使用することもできる。
【００２０】
反射板３１は、表面に凹部３１Ａを設けて凹部３１Ａの中央に点光源３０を配置している。反射板３１は表面に反射層を設けている。反射板３１は、プラスチックを成形して、その表面を金属メッキして反射層を設けることができる。また、反射層は、ステンレスなどの金属板をプレス加工し、あるいは金属板の表面をメッキして反射層を設けることができる。反射板３１は、凹部３１Ａの中心に貫通孔３１Ｂを設けて、ここに点光源３０の発光ダイオード３０Ａを配置している。発光ダイオード３０Ａは、反射板３１の裏面に固定している絶縁基板３３に固定されて、反射板３１の貫通孔３１Ｂに配置される。絶縁基板３３はプリント基板で、図８に示すように、反射板３１を積層する面の所定の位置に発光ダイオード３０Ａを固定している。さらに、この絶縁基板３３は、図示しないが、図１０のブロック回路図を実現する専用の電子部品を実装している。
【００２１】
拡散板３２は、表面を凹凸面とする透光板で、この凹凸面でもって、点光源３０から照射される光を散乱させる。図に示すパネル光源３は、第１の拡散板３２Ａと第２の拡散板３２Ｂからなる２枚の拡散板３２を互いに積層して、反射板３１の外側に配置している。第１の拡散板３２Ａは、反射板３１と対向する側に積層しており、第２の拡散板３２Ｂは、反射板３１と反対側、すなわち外側に積層している。
【００２２】
第１の拡散板３２Ａは、反射板３１との対向面を平滑面として、第２の拡散板３２Ｂとの対向面を凹凸面としている。図６と図８に示す第１の拡散板３２Ａの凹凸面は、複数列の凹溝３２ａを互いに平行に設けている。この第１の拡散板３２Ａは、平滑面から入射して透過する光を凹凸面で種々の方向に屈折させて放射する。さらに、第１の拡散板３２Ａは、平滑面から入射した光の一部を凹凸面で乱反射させると共に、この反射光を平滑面や反射板３１で反射させて、種々の方向に拡散しながら透過させる。したがって、第１の拡散板３２Ａは、点光源３０から照射される光を、拡散して放射する。
【００２３】
第２の拡散板３２Ｂは、第１の拡散板３２Ａとの対向面を凹凸面として、反対側の面である外側の表面を平滑面としている。この第２の拡散板３２Ｂは、外装ケース１から表出する表面を平滑面とするので、表面の汚れを防止しながら、透過光を拡散できる。図６と図７に示す第２の拡散板３２Ｂの凹凸面は、多数の四角錐状の凹部３２ｂを、斜め方向、図７においては対角線方向に規則正しく並べた形状としている。この第２の拡散板３２Ｂは、凹凸面から入射する光を凹凸面で種々の方向に屈折させて外部に放射する。さらに、第２の拡散板３２Ｂは、凹凸面に入射する光の一部を凹凸面で乱反射させると共に、この反射光を第１の拡散板３２Ａや反射板３１で反射させて、種々の方向に拡散させる。したがって、第２の拡散板３２Ａは、点光源３０から照射されて、第１の拡散板３２Ａで拡散された光を、さらに拡散して、外側の平滑面から均一な光として放射する。とくに、第１の拡散板３２Ａの凹凸面に設けた複数列の凹溝３２ａの向きと、第２の拡散板３２Ｂに設けた多数の凹部３２ｂの配列の向きを互いに交差する方向とすることで、２枚の拡散板３２を透過する光を、より効果的に拡散できる構造としている。
【００２４】
以上のように、反射板３１と対向して配設される拡散板３２は、点光源３０から照射される光を、凹凸面で種々の方向に屈折させると共に、透過する光の一部を凹凸面で乱反射させ、さらに、拡散板３２で反射された光を反射板３１で反射して、種々の方向に拡散しながら外部に放射する。したがって、反射板３１と拡散板３２との間に複数の発光ダイオード３０Ａからなる点光源３０を配置するパネル光源３は、点光源３０の光を均一に拡散して外部に放射できる。
【００２５】
拡散板３２は、透明のプラスチックを成形して製作される。第１の拡散板は、図８に示すように、反射板３１と等しい外形として、外装ケース１に内蔵しているインナープレート３４の収納部３４Ａに収納される。インナープレート３４は、外周縁に沿って突出する内周壁３４Ｂを設けて、この内周壁３４Ｂの内側を収納部３４Ａとしている。インナープレート３４は、この収納部３４Ａに絶縁基板３３を固定すると共に、絶縁基板３３に反射板３１と第１の拡散板３２Ａを積層状態で収納している。第２の拡散板３２Ｂは、図５ないし図７に示すように、第２の表面１２の開口窓１４よりも大きい外形とし、内面に突出するように外周壁３２ｘを設けて、この外周壁３２ｘの内側にＯリング３５を配設している。Ｏリング３５は、インナープレート３４に設けた内周壁３４Ｂの外側であって、第２の拡散板３２Ｂの外周壁３２ｘの内側に配設されて、インナープレート３４と第２の拡散板３２Ｂとの間を水密に閉塞する。
【００２６】
以上の拡散板３２は、２枚の拡散板を積層しているが、拡散板は、必ずしも２枚の拡散板を積層する必要はなく、１枚とすることも、３枚以上を積層することもできる。また、拡散板の凹凸面も、上述の形状に特定するものではなく、透過する光を種々の方向に拡散できる他の全ての形状とすることができる。
【００２７】
外装ケース１は、図３ないし図６に示すように、第１ケース１Ａと第２ケース１Ｂとからなり、第１ケース１Ａと第２ケース１Ｂの内部にインナープレート３４を固定している。外装ケース１はプラスチック製で、厚さを半分に分割するように、第１ケース１Ａと第２ケース１Ｂに分割している。第１ケース１Ａは、太陽電池２を露出させる開口窓１３のある第１の表面１１を設けている。第２ケース１Ｂは、パネル光源３を露出させる開口窓１４のある第２の表面１２を設けている。第１ケース１Ａと第２ケース１Ｂは、外周と開口部１５に沿って周壁１７を設けている。第１ケース１Ａと第２ケース１Ｂは、周壁１７を連結して内部を閉鎖する形状としている。第１ケース１Ａと第２ケース１Ｂは、第２ケース１Ｂを貫通する止ネジ２０を、第１ケース１Ａの内面に突出するように設けているボス１９にねじ込んで固定している。
【００２８】
インナープレート３４はプラスチック製で、外装ケース１の平面部１０の内形にほぼ等しい外形に成形されて、第２ケース１Ｂに止ネジ３６で固定している。ただ、インナープレートは、第１ケースに固定することもできる。インナープレート３４を固定するために、第２ケース１Ｂは、インナープレート３４を貫通する止ネジ３６をねじ込むボス１８を内面に突出するように一体的に成形して設けている。インナープレート３４は、一方の面に、発光ダイオード３０Ａを固定している絶縁基板３３と、反射板３１と、拡散板３２を積層するように固定している。拡散板３２とインナープレート３４との間にＯリング３５を挟着して、インナープレート３４と拡散板３２との間は水密構造に閉塞される。さらに、インナープレート３４の反対側の表面には太陽電池２が配置される。
【００２９】
さらに、図１ないし図５の外装ケース１は、グリップ５の反対側の側縁に沿ってゴム状弾性体からなる緩衝バー７を固定している。緩衝バー７は、第１ケース１Ａと第２ケース１Ｂに設けたスリット２５に挟着されて、外装ケース１の底縁に沿って固定される。図５の外装ケース１は、緩衝バー７を挟着するために、第１ケース１Ａと第２ケース１Ｂの周壁１７にスリット２５を設けている。図の緩衝バー７は、両端部を内側に折曲してなるコ字状に成形している。したがって、外装ケース１は、グリップ５の反対側の側縁から両側の側面にかけてスリット２５を設けており、緩衝バー７を外装ケース１の底縁とその両端のコーナー部の領域に配置している。この形状の緩衝バー７は、外装ケース１の底縁だけでなくコーナー部も確実に保護できる特徴がある。第１ケース１Ａと第２ケース１Ｂは、緩衝バー７の外周に沿って設けた連結凸条７Ａを案内するガイド溝２６を、スリット２５の開口縁に沿って設けている。この緩衝バー７は、連結凸条７Ａをスリット２５のガイド溝２６に案内して、位置ずれしないように、第１ケース１Ａと第２ケース１Ｂの周壁１７の境界に挟まれて固定される。ここに固定される緩衝バー７は、外装ケース１の周壁１７の表面から突出している。外装ケース１から突出する緩衝バー７は、図９に示すように、グリップ５を握って垂直姿勢として持ち運ぶ状態で、誤って落下させた時に、最初に衝突して衝撃を吸収する。とくに、図の緩衝バー７は、外装ケース１のコーナー部の表面にも突出するので、コーナー部を下向きとする姿勢で落下する場合においても、確実に衝撃を吸収できる。このように、ここにゴム状弾性体の緩衝バー７を固定している外装ケース１は、落下による損傷を有効に防止できる。
【００３０】
グリップ５は、内部を中空状として電池４の収納部２７を設けている。グリップ５の収納部２７は、円筒形電池からなる充電できる電池４を収納している。図３と図４の照明は、グリップ５の収納部２７に、２本のニッケル水素電池からなる円筒形電池を直列に直線状に連結して収納している。電池４は、たとえば、満充電容量を２０００ｍＡｈ〜５０００ｍＡｈ、好ましくは３２００ｍＡｈとする２本のニッケル水素電池である。
【００３１】
さらに、図の照明は、グリップ５の一端部にビーム光源６を、他端部にライトスイッチ４１を設けている。ビーム光源６は、集束レンズを有する発光ダイオード６Ａである。このビーム光源６は、集束する光をグリップ５の軸方向に照射する。発光ダイオード６Ａは、絶縁基板２８を介して外装ケース１の定位置に固定される。発光ダイオード６Ａを固定している絶縁基板２８は、第１ケース１Ａと第２ケース１Ｂに挟着されて定位置に固定される。
【００３２】
ライトスイッチ４１は押しボタンスイッチで、グリップ５の後端の開口部に固定している。ライトスイッチ４１である押しボタンスイッチは、グリップ５の後端に設けている開口部から露出する部分を押して操作される。このライトスイッチ４１も、第１ケース１Ａと第２ケース１Ｂに挟着されて、外装ケース１の定位置に固定される。
【００３３】
図１０は、照明のブロック回路図を示している。この照明は、太陽電池２と、充電できる電池４と、制御回路４０と、パネル光源３と、ビーム光源６とを備えている。制御回路４０には、ライトスイッチ４１を接続している。さらに、図の照明は、制御回路４０に、太陽電池２と、外部入力コネクタ４２を接続している。外部入力コネクタ４２は、外装ケース１の側面に固定している。この外部入力コネクタ４２は、ＡＣアダプタ（図示せず）を接続して、電池４を充電する電力を供給する。さらに、図の制御回路４０は、ＵＳＢコネクタ４３と、このＵＳＢコネクタ４３の出力状態を切り換えるＵＳＢスイッチ４４とを接続している。ＵＳＢコネクタ４３とＵＳＢスイッチ４４は、外装ケース１の側面に互いに接近して配置している。ＵＳＢスイッチ４４が押されると、電池４の電力を制御回路４０で所定の電圧に変換してＵＳＢコネクタ４３から出力する。この回路図の照明は、太陽電池２で電池４を充電し、電池４の満充電を検出して電池４の充電を終了する。また、外部入力コネクタ４２にＡＣアダプタを接続する状態では、ＡＣアダプタから入力される電力で電池４を充電する。この状態においても、電池４が満充電されると充電を停止する。さらに、制御回路４０は、押しボタンスイッチのライトスイッチ４１から入力されるオン信号でパネル光源３と、ビーム光源６の点灯状態を変更する。たとえば、ライトスイッチ４１を一回押す毎に、以下のようにパネル光源３とビーム光源６の点灯を切り換える。
ビーム光源６を点灯→ビーム光源６を消灯してパネル光源３の９個の発光ダイオード３０Ａを点灯→パネル光源３の５個の発光ダイオード３０Ａを点灯→パネル光源３の１個の発光ダイオード３０Ａを点灯→パネル光源３を消灯する。
ビーム光源６又はパネル光源３を点灯する状態で、ライトスイッチ４１を長押しすると、点灯しているビーム光源６とパネル光源３を消灯する。
【００３４】
さらに、制御回路４０は、ライトスイッチ４１とＵＳＢスイッチ４４の両方を長押しすると、パネル光源３とビーム光源６のいずれか又は両方を、ＳＯＳのモールス信号（・・・−−−・・・）を繰り返すように点滅させる。この照明は、遭難したときに、ＳＯＳのモールス信号を照射して、遭難を遠方まで光で知らせることができる。
【図面の簡単な説明】
【００３５】
【図１】本発明の一実施例にかかる携帯式の照明の斜視図である。
【図２】図１に示す携帯式の照明を底面から見た背面斜視図である。
【図３】図１に示す携帯式の照明の分解斜視図である。
【図４】図１に示す携帯式の照明の分解斜視図である。
【図５】図１に示す携帯式の照明のＡ−Ａ線断面図である。
【図６】図１に示す携帯式の照明のＢ−Ｂ線断面図である。
【図７】図４に示す携帯式の照明のパネル光源の分解斜視図である。
【図８】図７に示すパネル光源の底面斜視図である。
【図９】本発明の一実施例にかかる携帯式の照明の使用例を示す斜視図である。
【図１０】本発明の一実施例にかかる携帯式の照明のブロック回路図である。
【符号の説明】
【００３６】
１…外装ケース                １Ａ…第１ケース
１Ｂ…第２ケース
２…太陽電池
３…パネル光源
４…電池
５…グリップ
６…ビーム光源                ６Ａ…発光ダイオード
７…緩衝バー                  ７Ａ…連結凸条
１０…平面部
１１…第１の表面
１２…第２の表面
１３…開口窓
１４…開口窓
１５…開口部
１６…段差部
１７…周壁
１８…ボス
１９…ボス
２０…止ネジ
２１…パッキン
２２…透光プレート
２５…スリット
２６…ガイド溝
２７…収納部
２８…絶縁基板
３０…点光源                  ３０Ａ…発光ダイオード
３１…反射板                  ３１Ａ…凹部
３１Ｂ…貫通孔
３２…拡散板                  ３２Ａ…第１の拡散板
３２ａ…凹溝
３２Ｂ…第２の拡散板
３２ｂ…凹部
３２ｘ…外周壁
３３…絶縁基板
３４…インナープレート        ３４Ａ…収納部
３４Ｂ…内周壁
３５…Ｏリング
３６…止ネジ
４０…制御回路
４１…ライトスイッチ
４２…外部入力コネクタ
４３…ＵＳＢコネクタ
４４…ＵＳＢスイッチ
【図１】
2010055789.tif 000003
【図２】
2010055789.tif 000004
【図３】
2010055789.tif 000005
【図４】
2010055789.tif 000006
【図５】
2010055789.tif 000007
【図６】
2010055789.tif 000008
【図７】
2010055789.tif 000009
【図８】
2010055789.tif 000010
【図９】
2010055789.tif 000011
【図１０】
2010055789.tif 000012